(57)【要約】【課題】  本発明は平衡伝送用ケーブルコネクタに関し、高速信号の伝送特性の向上を実現することを目的とする。【解決手段】  平衡伝送用ケーブル２０がプラグ組立体６０に直接に接続してある。プラグ組立体６０は、モールド部品であるブロック体６１に、対をなす第１、第２の信号コンタクト７０−１，７０−２と、板状のグランドコンタクト８０とが、交互に並んで組み込まれている構造である。グランドコンタクト８０は、その後端が、第１、第２の信号コンタクト７０−１，７０−２の後端よりも更に後方にまで延びている。平衡伝送用ケーブル２０の第１、第２の信号ワイヤ２３−１、２３−２が信号ワイヤ接続部７２−１、７２−２に、ドレンワイヤ２５がドレンワイヤ接続部８３に半田付けしてある。【選択図】  図６
2005085686.tif 000002
【特許請求の範囲】
【請求項１】
ペア線を構成する第１、第２の被覆信号ワイヤとドレンワイヤとを有する電線を複数本有し、各電線の先端より、被覆が除去された第１、第２の信号ワイヤと上記ドレンワイヤとが露出した構成の平衡伝送用ケーブルと、
電気絶縁性を有する合成樹脂製のモールド部品であるブロック体に、対をなす第１、第２の信号コンタクトと、グランドコンタクトとが、交互に並んで組み込まれており、該グランドコンタクトが隣り合う第１、第２の信号コンタクトの間をシールドする構造であるプラグ組立体と、
該プラグ組立体と上記平衡伝送用ケーブルの端側を覆うシールドカバーとを有し、
上記第１、第２の信号コンタクトは、その後端側に、第１、第２の信号ワイヤが接続されるための信号ワイヤ接続部を有する構成であり、
該グランドコンタクトは、その後端側に、ドレンワイヤが接続されるためのドレンワイヤ接続部を有する構成であり、
上記第１、第２の信号ワイヤが夫々上記信号ワイヤ接続部に接続してあり、
上記ドレンワイヤが上記グランドコンタクトに接続してあり、
上記グランドコンタクトは、その後端が、上記第１、第２の信号コンタクトの後端よりも更に後方にまで延びている形状を有する構成としたことを特徴とする平衡伝送用ケーブルコネクタ。
【請求項２】
請求項１記載の平衡伝送用ケーブルコネクタにおいて、
上記信号ワイヤ接続部は、上記第１、第２の信号コンタクトと一体のラグ部を曲げて形成してあり、その形状が、信号ワイヤを上記第１、第２の信号コンタクトと板状のグランドコンタクトとが並んでいる方向への動きを拘束する形状である構成としたことを特徴とする平衡伝送用ケーブルコネクタ。
【請求項３】
請求項１記載の平衡伝送用ケーブルコネクタにおいて、
上記第１の信号コンタクトの信号ワイヤ接続部と第２の信号コンタクトの信号ワイヤ接続部とが、上記第１、第２の信号コンタクトと板状のグランドコンタクトとが並んでいる方向と同じ方向に並んで配置してあり、
上記グランドコンタクトは、上記第１、第２の信号コンタクトの信号ワイヤ接続部の下側を覆う水平板状グランドコンタクト部を有し、
且つ、該水平板状グランドコンタクト部は、上記ドレンワイヤを挟み込むスリットを有する構成としたことを特徴とする平衡伝送用ケーブルコネクタ。
【請求項４】
請求項１記載の平衡伝送用ケーブルコネクタにおいて、
隣り合うペア線が整列するようにペア線間を整線するペア線間整線部と各ペア線を構成する第１、第２の被覆信号ワイヤの間を整線するペア線内整線部とを有する整線部材を有し、
該第１、第２の被覆信号ワイヤが、該整線部材によって整線された状態で、上記第１、第２の信号ワイヤが上記信号ワイヤ接続部に接続されている構成としたことを特徴とする平衡伝送用ケーブルコネクタ。
【発明の詳細な説明】
【技術分野】
【０００１】
本発明は平衡伝送用ケーブルコネクタに係り、特に高速信号の伝送に使用される平衡伝送用ケーブルコネクタに関する。
【０００２】
データの伝送の方式としては、データごとに一本の電線を使用する通常の伝送方式と、データごとに対をなす二本の電線を使用して、伝送すべき＋信号とこの＋信号とは大きさが等しく逆向きの−信号とを同時に伝送する平衡伝送方式がある。平衡伝送方式は、通常の伝送方式に比べてノイズの影響を受けにくいという利点を有しており、多く採用されつつある。平衡伝送用ケーブルコネクタは、平衡伝送用ケーブルの端にプラグを備え、プラグの部分がシールドカバーによって覆われている構成であり、平衡伝送方式に適用されて、例えば、コンピュータとサーバとの間の接続に使用される。
【背景技術】
【０００３】
図１及び図２は、従来の平衡伝送用ケーブルコネクタ１０を示す。Ｘ１−Ｘ２、Ｙ１−Ｙ２、Ｚ１−Ｚ２は夫々平衡伝送用ケーブルコネクタ１０の幅方向、長手方向、高さ方向である。
【０００４】
平衡伝送用ケーブル２０は、図３に併せて示すように、外部被覆２７と遮蔽網線２８とよりなる二重被覆構造のチューブの内部に多数本の電線２１が収まっている構造である。各電線２１は、平衡信号伝送用の対をなす第１、第２の被覆信号ワイヤ２２−１、２２−２とドレンワイヤ２５とがシールドチューブ内に収まっている構造である。図６に示すように、電線２１の端からは、第１、第２の被覆信号ワイヤ２２−１、２２−２とドレンワイヤ２５とが延びており、第１、第２の被覆信号ワイヤ２２−１、２２−２の先端は処理されて第１、第２の信号ワイヤ２３−１、２３−２が露出している。第１、第２の被覆信号ワイヤ２２−１、２２−２及び裸である第１、第２の信号ワイヤ２３−１、２３−２がペア線を構成する。
【０００５】
平衡伝送用ケーブルコネクタ１０は、図１及び図２に示すように、プラグ組立体１１のＹ１側に中継基板１２が固定してあり、平衡伝送用ケーブル２０の端より延びている多数本の電線２１より更に延びている第１、第２の信号ワイヤ２３−１、２３−２及びドレンワイヤ２６が中継基板１２のＹ１側の端子に半田付け接続してあり、シールドカバー３１、３２が、プラグ組立体１１、中継基板１２及び平衡伝送用ケーブル２０の端の部分を覆っている構成である。この平衡伝送用ケーブルコネクタ１０にあっては、プラグ組立体１１、中継基板１２及び平衡伝送用ケーブル２０の端の部分が、データの伝送路を形成する。
【特許文献１】特開２００３−０５９５９３号公報
【発明の開示】
【発明が解決しようとする課題】
【０００６】
上記の平衡伝送用ケーブルコネクタ１０における隣り合うデータ伝送路間のシールドについてみると、中継基板１２の部分に問題を有している。中継基板１２は、基板の上面と下面とにＹ１−Ｙ２に延在する配線パターンがＸ１−Ｘ２方向上並んで形成してある構成であり、その構造上、隣り合う信号対の間を、プラグ本体１１の部分と同程度に、良好にシールドすることが難しいからである。
【０００７】
近年、コンピュータ及びサーバの取り扱う信号が高速となりつつあり、中継基板１２の部分のシールド性が低いことに起因する伝送特性への悪影響が無視できなくなって来つつある。
【０００８】
本発明は、上記の点に鑑みなされたものであり、高速信号の伝送特性の向上を図った平衡伝送用ケーブルコネクタを提供することを目的とする。
【課題を解決するための手段】
【０００９】
そこで、上記課題を解決するため、本発明は、
ペア線を構成する第１、第２の被覆信号ワイヤとドレンワイヤとを有する電線を複数本有し、各電線の先端より、被覆が除去された第１、第２の信号ワイヤと上記ドレンワイヤとが露出した構成の平衡伝送用ケーブルと、
電気絶縁性を有する合成樹脂製のモールド部品であるブロック体に、対をなす第１、第２の信号コンタクトと、グランドコンタクトとが、交互に並んで組み込まれており、該グランドコンタクトが隣り合う第１、第２の信号コンタクトの間をシールドする構造であるプラグ組立体と、
該プラグ組立体と上記平衡伝送用ケーブルの端側を覆うシールドカバーとを有し、
上記第１、第２の信号コンタクトは、その後端側に、第１、第２の信号ワイヤが接続されるための信号ワイヤ接続部を有する構成であり、
該グランドコンタクトは、その後端側に、ドレンワイヤが接続されるためのドレンワイヤ接続部を有する構成であり、
上記第１、第２の信号ワイヤが夫々上記信号ワイヤ接続部に接続してあり、
上記ドレンワイヤが上記グランドコンタクトに接続してあり、
上記グランドコンタクトは、その後端が、上記第１、第２の信号コンタクトの後端よりも更に後方にまで延びている形状を有する構成としたことを特徴とする。
【発明の効果】
【００１０】
上述の如く、本発明によれば、平衡伝送用ケーブルの第１、第２の信号ワイヤ及びドレンワイヤがプラグ組立体の第１、第２の信号コンタクト及びグランドコンタクトに直接接続してあり、且つ、グランドコンタクトの後端が第１、第２の信号コンタクトの後端よりも更に後方にまで延びている構成であるため、一の平衡信号が伝送される経路とこれと隣り合う別の平衡信号が伝送される経路との間のシールドが改善され、伝送特性の改善がなさる。よって、より高速の信号の伝送経路に使用することが可能となる。
【発明を実施するための最良の形態】
【００１１】
次に本発明の実施の形態について説明する。
【００１２】
図４及び図５に示すように、本発明の実施例１になる平衡伝送用ケーブルコネクタ５０を示す。Ｘ１−Ｘ２、Ｙ１−Ｙ２、Ｚ１−Ｚ２は夫々平衡伝送用ケーブルコネクタ５０の幅方向、長手方向、高さ方向である。Ｙ１は後方、Ｙ２は前方である。
【００１３】
平衡伝送用ケーブルコネクタ５０は、概略的には、図１及び図２中の平衡伝送用ケーブルコネクタ１０から中継基板１２が除去された構造であり、平衡伝送用ケーブル２０の先端がプラグ組立体６０に半田付けされて直接に接続されており、シールドカバー９１，９２が、プラグ組立体６０、整線部材１００及び平衡伝送用ケーブル２０の端の部分を覆っており、対をなす信号対とグランドとがＸ１−Ｘ２方向上交互に並んでおり、隣り合う信号対の間がシールドされている構成である。図６は平衡伝送用ケーブル２０の先端がプラグ組立体６０に直接に接続されている部分を拡大して示す。図６では、図示の便宜上、整線部材は省略してある。
【００１４】
平衡伝送用ケーブル２０は、図１乃至図３に示す平衡伝送用ケーブル２０と同じものである。
【００１５】
次に、図６、図７及び図８を参照して、プラグ組立体６０について説明する。プラグ組立体６０は、電気絶縁性を有する合成樹脂製のモールド部品であるブロック体６１に、対をなす第１、第２の信号コンタクト７０−１，７０−２と、板状のグランドコンタクト８０とが、Ｙ１側から圧入されて、Ｘ１−Ｘ２方向に所定のピッチｐで交互に並んで整列されて組み込まれている構造である。Ｘ１−Ｘ２方向上隣り合っている対をなす第１、第２の信号コンタクト７０−１，７０−２は、グランドコンタクト８０によってシールドされている。また、第１、第２の信号コンタクト７０−１，７０−２及び板状のグランドコンタクト８０は、ブロック体６１によって電気的に絶縁されている。
【００１６】
ブロック体６１は、Ｘ１−Ｘ２方向に長いベース部６２と、ベース部６２の中央よりＹ２方向に突き出しているＸ１−Ｘ２方向に長い土手状の突き出し部６３とを有する。図７は、構造を分かり易くするために、Ｘ１−Ｘ２方向を拡大して示してある。ブロック体６１には、第１、第２の信号コンタクト７０−１，７０−２が圧入される溝６５，６６、及びグランドコンタクト８０が圧入されるスリット６７が形成してある。
【００１７】
第１の信号コンタクト７０−１は、Ｙ２側の棒状のコンタクト本体７１−１と、Ｙ１方向端のＵ字形状の信号ワイヤ接続部７２−１とを有する。信号ワイヤ接続部７２−１は、第１の信号コンタクト７０−１よりＸ１−Ｘ２方向に張り出しているラグ部７３−１、７４−１をＺ１方向に曲げることによって形成されており、Ｕ字形状を有している。信号ワイヤ接続部７２−１は、Ｚ１側が開放であり、受け入れた信号ワイヤをＸ１−Ｘ２方向のずれを拘束した状態で支持可能である。
【００１８】
第２の信号コンタクト７０−２は、第１の信号コンタクト７０−１を上下反転した形状であり、Ｙ２側の棒状のコンタクト本体７１−２と、Ｙ１方向端の逆Ｕ字形状の信号ワイヤ接続部７２−２とを有する。信号ワイヤ接続部７２−２は、第２の信号コンタクト７０−２よりＸ１−Ｘ２方向に張り出しているラグ部７３−２、７４−２をＺ２方向に曲げることによって形成されており、逆Ｕ字形状を有している。信号ワイヤ接続部７２−２は、Ｚ２側が開放であり、受け入れた信号ワイヤをＸ１−Ｘ２方向のずれを拘束した状態で支持可能である。
【００１９】
グランドコンタクト８０は、板状であり、Ｙ２側の約半分を占めるＹ２側グランドコンタクト部８１と、Ｙ１側の約半分を占めるＹ１側グランドコンタクト部８２と、Ｕ字形状のドレインワイヤ接続部８３とを有する。Ｙ１側グランドコンタクト部８２の幅Ｗ２は、Ｙ２側グランドコンタクト部８１の幅Ｗ１より広い。ドレインワイヤ接続部８３は、Ｙ１側グランドコンタクト部８２のＺ１側の縁のうちＹ１方向端の部分にあり、Ｙ１側グランドコンタクト部８２からＺ１方向に張り出しているラグ部８４、８５をＸ１−Ｘ２方向上、互いに逆方向に湾曲させることによって形成してあり、Ｙ１側から見てＵ字形状を有する。
【００２０】
第１、第２の信号コンタクト７０−１、７０−２の長さはＬ１であり、グランドコンタクト８０の長さはＬ２であり、Ｌ２＞Ｌ１である。
【００２１】
第１、第２の信号コンタクト７０−１，７０−２は夫々溝６５，６６内に圧入してあり、グランドコンタクト８０のＹ２側グランドコンタクト部８１がスリット６７内に圧入してある。
【００２２】
ここで、第１、第２の信号コンタクト７０−１，７０−２とグランドコンタクト８０との配置について説明する。図９（Ａ）は、Ｙ１側からみた場合の、第１、第２の信号コンタクト７０−１，７０−２とグランドコンタクト８０との配置を示し、図９（Ｂ）は、Ｘ１側からみた場合の、第１、第２の信号コンタクト７０−１，７０−２とグランドコンタクト８０との配置を示す。
【００２３】
図９（Ｂ）に示すように、Ｙ１−Ｙ２方向上、第１、第２の信号コンタクト７０−１，７０−２及びグランドコンタクト８０のＹ２方向端は同じ位置にある。グランドコンタクト８０は、第１、第２の信号コンタクト７０−１、７０−２のワイヤ接続部７２−１、７２−２よりも更にＹ１方向に延在している。符号８２ａはグランドコンタクト８０のうちワイヤ接続部７２−１、７２−２よりも更にＹ１方向に延在している部分であり、寸法ａを有する。第１、第２の信号コンタクト７０−１、７０−２は、Ｘ１側からみて、Ｙ２側グランドコンタクト部８１のＺ１、Ｚ２側の縁に沿っている。よって、第１、第２の信号コンタクト７０−１、７０−２は、グランドコンタクト８０をＸ２側からＸ１方向へ投影した領域内に、全て収まっている。この結果、Ｘ１−Ｘ２方向上隣り合っている対をなす第１、第２の信号コンタクト７０−１，７０−２は、グランドコンタクト８０によって良好にシールドされている。
【００２４】
また、ドレインワイヤ接続部８３は、図９（Ｂ）に示すように、信号ワイヤ接続部７２−１、７２−２よりもＹ１方向に偏倚しており、且つ、図９（Ａ）に示すように、信号ワイヤ接続部７２−１、７２−２よりもＺ１方向に偏倚している。
【００２５】
次に、平衡伝送用ケーブル２０の各ワイヤの整線について説明する。
【００２６】
図１０（Ａ）乃至（Ｃ）に示すように、平衡伝送用ケーブル２０の各ワイヤは整線部材１００を利用して整線されている。第１、第２の被覆信号ワイヤ２２−１、２２−２をペア線という。
【００２７】
整線部材１００は、図１０（Ａ）に示すように、直方体形状であり、隣り合うペア線の間を仕切ってペア線同士を整線するペア線間整線部１０１と、ペア線内で第１の被覆信号ワイヤ２２−１と第２の被覆信号ワイヤ２２−２とを仕切る楔形状のペア線内整線部１０２とを有する。ペア線間整線部１０１は、Ｚ１−Ｚ２方向に長い円形であり、Ｘ１−Ｘ２方向に並んでおり、隣り同士の間に、仕切り壁部１０３，１０４が存在している。ペア線内整線部１０２は、ペア線間整線部１０１の内部に配置してあり、ペア線間整線部１０１の内部をＸ１−Ｘ２方向に横切っており、断面はＹ１方向が尖った楔形状である。ペア線間整線部１０１及びペア線内整線部１０２は、上記のワイヤ接続部７２−１、７２−２の配置に対応して形成してある。
【００２８】
電線２１の先端に突き出ている第１、第２の被覆信号ワイヤ２２−１、２２−２及びドレンワイヤ２５を整線部材１００のペア線間整線部１０１内にＹ１側から挿入すると、図１０（Ａ）に二点鎖線で示すように、第１、第２の被覆信号ワイヤ２２−１、２２−２がその先端側からペア線内整線部１０２によってＺ１−Ｚ２方向に分けられ始める。
【００２９】
電線２１を所定位置まで挿入すると、図１０（Ｂ）に示すように、第１、第２の被覆信号ワイヤ２２−１、２２−２及びドレンワイヤ２５が整線部材１００のＹ２側に突き出し、第１、第２の被覆信号ワイヤ２２−１、２２−２とこれと隣り合う第１、第２の被覆信号ワイヤ２２−１、２２−２とが仕切られ、且つ、第１の被覆信号ワイヤ２２−１と第２の被覆信号ワイヤ２２−２との間も仕切られる。即ち、ペア線間で整線され、且つ、ペア線内で整線された状態となる。この後に、第１、第２の被覆信号ワイヤ２２−１、２２−２の先端側の被覆を除去して信号ワイヤ２３−１、２３−２を露出させる。これによって、図１０（Ｃ）に示すように、信号ワイヤ２３−１、２３−２がワイヤ接続部７２−１、７２−２の配置に対応するように整線される。
【００３０】
整線状態の第１、第２の信号ワイヤ２３−１、２３−２が夫々上記のワイヤ接続部７２−１、７２−２に半田付けされて接続してあり、ドレンワイヤ２６がワイヤ接続部８３に半田付けされて接続してある。図６中、梨地パターンは半田である。
【００３１】
ここで、ワイヤ接続部７２−１、７２−２がＵ字形状であり、第１、第２の信号ワイヤ２３−１、２３−２が整線状態にあるため、半田付け作業の前の段階で、全部の信号ワイヤ２３−１、２３−２が対応するワイヤ接続部７２−１、７２−２に載せられてここに嵌合した状態となる。即ち、全部の信号ワイヤ２３−１、２３−２がＸ１−Ｘ２方向の動きを拘束されてワイヤ接続部７２−１、７２−２内に収まっている状態となる。よって、信号ワイヤ２３−１、２３−２の第１、第２の信号コンタクト７０−１、７０−２への半田付け作業は作業性良く行われる。
【００３２】
ワイヤ接続部８３もＵ字形状であり、ドレンワイヤ２６についてもワイヤ接続部８３内に嵌合して容易には動かないように収まった状態となる。よって、ドレンワイヤ２６のグランドコンタクト８０への半田付け作業は作業性良く行われる。
【００３３】
上記構成の平衡伝送用ケーブルコネクタ５０においては、第１、第２の信号コンタクト７０−１、７０−２と、信号ワイヤ２３−１、２３−２の第１、第２の信号コンタクト７０−１、７０−２への半田付け部、信号ワイヤ２３−１、２３−２がデータの伝送路を形成する。ここで、第１、第２の信号コンタクト７０−１、７０−２は、グランドコンタクト８０をＸ２側からＸ１方向へ投影した領域内に、全て収まっているため、及び、従来の平衡伝送用ケーブルコネクタでは使用されていた中継基板を有していないため、隣り合う信号対のデータ伝送路間のシールドは、従来に比較して良好である。よって、平衡伝送用ケーブルコネクタ５０は、高速信号の伝送特性が向上しており、従来に比べて更に高速の信号の伝送が可能である。また、平衡伝送用ケーブルコネクタ５０は、Ｙ１−Ｙ２方向の長さ寸法Ｌ１０が従来に比較して短い。
【００３４】
次に、本発明の実施例２になる平衡伝送用ケーブルコネクタについて説明する。この平衡伝送用ケーブルコネクタは、整線部材が不要である構成であり、本発明の実施例１になる平衡伝送用ケーブルコネクタ５０とはプラグ組立体の部分が相違する。よって、以下、プラグ組立体及びこれと関連する部分を説明する。
【００３５】
図１１、図１２及び図１３はプラグ組立体１６０を示す。各図中、図６乃至図９に示す構成部分と同じ構成部分には同じ符号を付し、図６乃至図９に示すに示す構成部分と対応する構成部分には１００を加算した符号を付す。
【００３６】
プラグ組立体１６０は、電気絶縁性を有する合成樹脂製のモールド部品であるブロック体６１に、対をなす第１、第２の信号コンタクト１７０−１，１７０−２と、板状のグランドコンタクト１８０とが、Ｙ１側から圧入されて、Ｘ１−Ｘ２方向に所定のピッチｐで交互に並んで整列されて組み込まれている構造である。Ｘ１−Ｘ２方向上隣り合っている対をなす第１、第２の信号コンタクト７０−１，７０−２は、グランドコンタクト１８０によってシールドされている。また、第１、第２の信号コンタクト１７０−１，１７０−２及び板状のグランドコンタクト１８０は、ブロック体６１によって電気的に絶縁されている。
【００３７】
第１の信号コンタクト１７０−１は、Ｙ２側の棒状のコンタクト本体１７１−１と、Ｙ１側の屈曲部１７５−１と、屈曲部１７５−１のＹ１方向端のＵ字形状の信号ワイヤ接続部１７２−１とを有する。信号ワイヤ接続部１７２−１は、第１の信号コンタクト１７０−１よりＸ１−Ｘ２方向に張り出しているラグ部１７３−１、１７４−１をＺ１方向に曲げることによって形成されている。
【００３８】
第２の信号コンタクト１７０−２は、Ｙ２側の棒状のコンタクト本体１７１−２と、Ｙ１側の屈曲部１７５−２と、屈曲部１７５−２のＹ１方向端のＵ字形状の信号ワイヤ接続部１７２−２とを有する。信号ワイヤ接続部１７２−２は、第２の信号コンタクト１７０−２よりＸ１−Ｘ２方向に張り出しているラグ部１７３−２、１７４−２をＺ１方向に曲げることによって形成されている。
【００３９】
グランドコンタクト１８０は、板状であり、Ｙ２側の約半分を占めるＹ２側グランドコンタクト部１８１と、Ｙ１側の約半分を占めるＹ１側グランドコンタクト部１８２と、折り曲げて形成してあり、Ｙ１側グランドコンタクト部１８２のＹ１側の部分の下側縁よりＸ１方向に延在している水平の板状の水平板状グランドコンタクト部１８４とを有する。この水平板状グランドコンタクト部１８４のＹ１側に、ドレンワイヤ２６が挟まれるスリット１８５が形成してある。Ｙ１側グランドコンタクト部１８２の幅Ｗ３は、Ｙ２側グランドコンタクト部１８１の幅Ｗ１より広い。
【００４０】
第１、第２の信号コンタクト１７０−１、１７０−２の長さはＬ１であり、グランドコンタクト１８０の長さはＬ２であり、Ｌ２＞Ｌ１である。
【００４１】
第１、第２の信号コンタクト１７０−１，１７０−２は夫々溝６５，６６内に圧入してあり、グランドコンタクト１８０のＹ２側グランドコンタクト部１８１がスリット６７内に圧入してある。
【００４２】
ここで、第１、第２の信号コンタクト１７０−１，１７０−２とグランドコンタクト１８０との配置について説明する。図１４（Ａ）は、Ｙ１側からみた場合の、第１、第２の信号コンタクト１７０−１，１７０−２とグランドコンタクト１８０との配置を示し、図１４（Ｂ）は、Ｘ１側からみた場合の、第１、第２の信号コンタクト１７０−１，１７０−２とグランドコンタクト１８０との配置を示す。
【００４３】
図１４（Ｂ）に示すように、グランドコンタクト１８０は、第１、第２の信号コンタクト１７０−１、１７０−２のワイヤ接続部１７２−１、１７２−２よりも更にＹ１方向に延在している。符号１８２ａはグランドコンタクト１８０のうちワイヤ接続部１７２−１、１７２−２よりも更にＹ１方向に延在している部分であり、寸法ｂを有する。第１、第２の信号コンタクト１７０−１、１７０−２は、グランドコンタクト１８０をＸ２側からＸ１方向へ投影した領域内に、全て収まっている。また、水平板状グランドコンタクト部１８４は、信号ワイヤ接続部１７２−１、１７２−２のＺ２側を覆っている。この結果、Ｘ１−Ｘ２方向上隣り合っている対をなす第１、第２の信号コンタクト１７０−１，１７０−２は、グランドコンタクト１８０によって良好にシールドされている。
【００４４】
また、ワイヤ接続部１７２−１、１７２−２は、共に、コンタクト本体１７１−２と同じ高さに位置しており、コンタクト本体１７１−１、１７２−１が並んでいる位置Ｑに関して、Ｘ１−Ｘ２方向上左右対称に配置してある。スリット１８５は、Ｘ１−Ｘ２方向上、ワイヤ接続部１７２−１、１７２−２の間の位置Ｑに配置してあり、Ｙ１−Ｙ２方向上は、ワイヤ接続部１７２−１、１７２−２よりもＹ１方向に偏倚した位置にある。
【００４５】
平衡伝送用ケーブル２０の各電線２１の第１、第２の信号ワイヤ２３−１、２３−２が夫々ワイヤ接続部１７２−１、１７２−２に半田付けされて接続してあり、且つ、ドレンワイヤ２５が水平グランドコンタクト部１８４に半田付けされて接続してある。
【００４６】
この半田付けする作業は、多数本の電線２１がＸ１−Ｘ２方向に並ぶように揃えて、端側の電線２１から順に、ドレンワイヤ２５をＺ２方向に曲げてスリット１８５にＹ１側から差し込み、電線２１が自由に動かない状態にし、第１、第２の信号ワイヤ２３−１、２３−２が夫々ワイヤ接続部１７２−１、１７２−２上に載った状態とし、Ｚ１側から半田付け作業を行って、第１、第２の信号ワイヤ２３−１、２３−２を夫々ワイヤ接続部１７２−１、１７２−２に半田付けし、且つ、ドレンワイヤ２６を水平グランドコンタクト部１８４に半田付けするようにして行う。半田付けは専らＺ１側から行えば良く、Ｚ１側からとＺ２側からの両側から行う場合に比較して作業性がよい。
【００４７】
上記構成の平衡伝送用ケーブルコネクタは、水平グランドコンタクト部１８４が存在する分、図６に示す平衡伝送用ケーブルコネクタ５０に比べて隣り合う信号対の間のシールドが更に良好である。
【産業上の利用可能性】
【００４８】
高速の信号の伝送経路に使用することが可能となる。
【図面の簡単な説明】
【００４９】
【図１】従来の平衡伝送用ケーブルコネクタの分解斜視図である。
【図２】図１の平衡伝送用ケーブルコネクタの断面図である。
【図３】平衡伝送用ケーブルの断面図である。
【図４】本発明の実施例１になる平衡伝送用ケーブルコネクタの分解斜視図である。
【図５】図４の平衡伝送用ケーブルコネクタの断面図である。
【図６】図４中、平衡伝送用ケーブルとプラグ組立体との接続部分を拡大して示す図である。
【図７】プラグ組立体の一部を分解して示す斜視図である。
【図８】プラグ組立体をその背面側よりみた斜視図である。
【図９】信号コンタクト、グランドコンタクト、信号ワイヤ、ドレインワイヤの配置を示す図である。
【図１０】信号ワイヤの整線を説明する図である。
【図１１】本発明の実施例２になる平衡伝送用ケーブルコネクタの平衡伝送用ケーブルとプラグ組立体との接続部分を拡大して示す図である。
【図１２】図１１のプラグ組立体の一部を分解して示す斜視図である。
【図１３】図１１のプラグ組立体をその背面側よりみた斜視図である。
【図１４】信号コンタクト、グランドコンタクト、信号ワイヤ、ドレインワイヤの配置を示す図である。
【符号の説明】
【００５０】
２０  平衡伝送用ケーブル
２１  電線
２２−１、２２−２  第１、第２の被覆信号ワイヤ
２３−１、２３−２  第１、第２の信号ワイヤ
２５  ドレンワイヤ
５０  平衡伝送用ケーブルコネクタ
６０、１６０  プラグ組立体
６１  ブロック体
７０−１，１７０−１  第１の信号コンタクト
７０−２，１７０−２  第２の信号コンタクト
７２−１、７２−２、１７２−１、１７２−２  信号ワイヤ接続部
８０，１８０  グランドコンタクト
８３  ドレインワイヤ接続部
９１、９２  シールドカバー
１００  整線部材
１８４  水平板状グランドコンタクト部
１８５  スリット
【図１】
2005085686.tif 000003
【図２】
2005085686.tif 000004
【図３】
2005085686.tif 000005
【図４】
2005085686.tif 000006
【図５】
2005085686.tif 000007
【図６】
2005085686.tif 000008
【図７】
2005085686.tif 000009
【図８】
2005085686.tif 000010
【図９】
2005085686.tif 000011
【図１０】
2005085686.tif 000012
【図１１】
2005085686.tif 000013
【図１２】
2005085686.tif 000014
【図１３】
2005085686.tif 000015
【図１４】
2005085686.tif 000016